(57)【要約】【課題】色選別電極機構が大型の重量の大きいものであっても、色選別電極機構がパネル内に安定して正規の位置に支持されているか否かを確実に評価できるようにする。【解決手段】カラー陰極線管用のパネル３とカラー陰極線管用の色選別電極機構６の組立品にタッピングシリンダーヘッド１２で振動を与えた後にパネルピン８に嵌合しているマスクスプリング７の嵌合位置を、測定センサーヘッド１１で測定した測定値＃１と、この嵌合をスプリング押さえ板１０で外した後にパネルピン８に再度嵌合させたマスクスプリング７の嵌合位置を、測定センサーヘッド１１で測定した測定値＃２と、この再度嵌合させた組立品にタッピングシリンダーヘッド１２で再度振動を与えた後のマスクスプリング７の嵌合位置を、測定センサーヘッド１１で測定した測定値＃３とをそれぞれ比較し、その比較結果をもとに、色選別電極機構６の支持状態を評価する。【選択図】        図１１
2004288427.tif 000002
【特許請求の範囲】
【請求項１】
カラー陰極線管用のパネルの内側面部に設けられた複数のパネルピンに、上記カラー陰極線管用の色選別電極機構の外周側面部に取り付けられた複数のマスクスプリングに設けられた嵌合孔を、それぞれ嵌合させることによって、上記パネル内に上記色選別電極機構を支持させた組立品について、上記色選別電極機構の支持状態を評価する方法において、
上記組立品に振動を与えた後に上記パネルピンに嵌合している上記マスクスプリングの嵌合位置を第１の検出位置として検出する手順と、
上記嵌合を外した後に上記パネルピンに再度嵌合させた上記マスクスプリングの嵌合位置を第２の検出位置として検出する手順と、
上記第１の検出位置と上記第２の検出位置を比較し、その比較結果をもとに上記色選別電極機構の支持状態を評価する手順と
を有する
ことを特徴とする色選別電極機構の支持状態評価方法。
【請求項２】
上記嵌合を外した後に上記パネルピンに再度嵌合させ、さらに上記組立品に再度振動を与えた後の上記マスクスプリングの嵌合位置を上記第２の検出位置として検出することを特徴とする請求項１記載の色選別電極機構の支持状態評価方法。
【請求項３】
上記パネルピンに上記マスクスプリングを再度嵌合させた上記組立品に再度振動を与えた後の上記マスクスプリングの嵌合位置を第３の検出位置として検出する手順をさらに有し、
上記第１の検出位置と上記第２の検出位置および上記第１の検出位置と上記第３の検出位置をそれぞれ比較し、それらの比較結果をもとに上記色選別電極機構の支持状態を評価する
ことを特徴とする請求項１記載の色選別電極機構の支持状態評価方法。
【請求項４】
上記振動を上記パネルに与えることを特徴とする請求項１から３までのいずれかに記載の色選別電極機構の支持状態評価方法。
【請求項５】
上記振動を加振装置を用いて上記パネルの底面に与えることを特徴とする請求項４記載の色選別電極機構の支持状態評価方法。
【請求項６】
上記振動を上記色選別電極機構に与えることを特徴とする請求項１から３までのいずれかに記載の色選別電極機構の支持状態評価方法。
【請求項７】
上記振動を上記パネルのパネル面にほぼ垂直な方向に与えることを特徴とする請求項１から６までのいずれかに記載の色選別電極機構の支持状態評価方法。
【請求項８】
上記マスクスプリングが略四角形状の上記色選別電極機構のコーナー部に設けられていることを特徴とする請求項１から７までのいずれかに記載の色選別電極機構の支持状態評価方法。
【請求項９】
上記マスクスプリングが略四角形状の上記色選別電極機構の辺部に設けられていることを特徴とする請求項１から７までのいずれかに記載の色選別電極機構の支持状態評価方法。
【請求項１０】
請求項１から９までのいずれかの記載の色選別電極機構の支持状態評価方法を用いたことを特徴とするカラー陰極線管の製造方法。
【発明の詳細な説明】
【０００１】
【発明の属する技術分野】
本発明は、カラー陰極線管の製造方法に関し、特に上記カラー陰極線管用のパネルの内側面部に設けられた複数のパネルピンに、上記カラー陰極線管用の色選別電極機構の外周側面部に取り付けられた複数のマスクスプリングに設けられた嵌合孔を、上記マスクスプリングが有する曲げ弾性力を利用してそれぞれ嵌合させることによって、上記パネル内に上記色選別電極機構を支持させた組立品について、上記色選別電極機構の支持状態を評価する選別電極機構の支持状態評価方法に関するものである。
【０００２】
【従来の技術】
色選別電極機構は、電子銃から発せられる３本の電子ビームがそれぞれ赤色，緑色，青色の所望の蛍光体にランディングするよう選別する目的で設置されるものであるため、色選別電極機構を安定した状態で、パネル内の正規の位置に支持する必要がある。
【０００３】
従来、色選別電極機構を安定した状態でパネル内の正規の位置に支持していることを評価する技術は、マスクスプリングの嵌合孔をパネルピンに嵌合させた嵌合位置で位置検出をして一次測定値とし、そのあと上記嵌合を解除する解除位置にマスクスプリングを一度移動してから上記嵌合位置に戻し、嵌合位置に戻した状態で上記位置検出をして二次測定値とし、上記一次測定値と上記二次測定値を比較することによって評価するものであった（例えば特許文献１参照）。
【０００４】
このような従来の評価方法では、図７（１）に示すようにパネルピン８にマスクスプリング７の嵌合孔７１が完全な状態で嵌合している場合と、図７（２）に示すようにマスクスプリング７の嵌合孔７１が矢印Ｒ方向にずれているため、パネルピン８にマスクスプリング７の嵌合孔７１が不完全な状態で嵌合している場合とでは、マスクスプリング７の矢印Ｆ方向の位置がずれることを利用して、マスクスプリング７の嵌合孔７１とパネルピン８との嵌合状態の評価をすることができる。
【０００５】
例えば、図８（１）に示すように、マスクスプリングｂ，ｃ，ｄの嵌合孔のそれぞれがパネルピンＢ，Ｃ，Ｄに図７（１）のように完全な状態で嵌合しており、マスクスプリングａの嵌合孔のみが、パネルピンＡに対して矢印Ｌの方向にずれて、図７（２）のように不完全な状態で嵌合している場合を考える。この場合、色選別電極機構６はパネル３内の正規の位置に安定した状態で支持されていない。
【０００６】
この図８（１）に示す状態において、マスクスプリングａと対向するマスクスプリングｄのパネルピンＤとの嵌合をはずすと、図８（２）に示すように、マスクスプリングａの曲げ弾性力によって色選別電極機構６が矢印Ｒ方向に移動して、マスクスプリングａがパネルピンＡに完全な状態で嵌合する。このあと、マスクスプリングｄをパネルピンＤに再度嵌合させても、マスクスプリングｄの嵌合孔は矢印Ｒ方向にずれているため完全な状態では嵌合しない。
【０００７】
この図８の場合には、マスクスプリングｄの嵌合を一度外して再度嵌合させたときの上記一次測定値と上記二次測定値とが異なる値になる。なお、マスクスプリングａ，ｂ，ｃ，ｄの嵌合孔のそれぞれがパネルピンＡ，Ｂ，Ｃ，Ｄに完全な状態で嵌合している場合には、上記一次測定値と上記二次測定値とはほぼ同じ値になる。
【０００８】
【特許文献１】
特開平２００１−６０４３５号公報（段落［００４９］−［００５３］、図１３）
【０００９】
【発明が解決しようとする課題】
しかしながら上記従来の評価技術には以下に説明する課題があった。近年のカラー陰極線管の大型化に伴って、色選別電極機構６も大型になり、色選別電極機構６の重量も重くなっている。特に、公称２５［インチ］以上の図３および図４に示す構造の色選別電極機構６では、その重量が極めて重くなっている。
【００１０】
大型で重量の重い色選別電極機構６では、マスクスプリングｄのパネルピンＤとの嵌合を外しても、図９（２）に示すように、色選別電極機構６はマスクスプリングａの曲げ弾性力のみでは動かず、マスクスプリングａはパネルピンＡに完全な状態で嵌合しない。
【００１１】
このため、大型で重量の重い色選別電極機構６では、マスクスプリングｄのパネルピンＤとの嵌合を一度外して再度嵌合させても、上記従来の評価方法においての一次測定値および二次測定値に、色選別電極機構６の支持の善し悪しが正確に反映されず、上記従来の評価方法では正確な評価ができないことがあった。そのため、色選別電極機構６がパネル３内の正規の位置に安定して支持されているか否かを確実に評価できる方法が求められていた。
【００１２】
本発明は、このような従来の課題を解決するためになされたものであり、色選別電極機構が大型の重量の大きいものであっても、色選別電極機構がパネル内に安定して正規の位置に支持されているか否かを確実に評価することができる色選別電極機構の嵌合状態評価方法を提供することを目的とするものである。
【００１３】
【課題を解決するための手段】
本発明の色選別電極機構の支持状態評価方法は、
カラー陰極線管用のパネルの内側面部に設けられた複数のパネルピンに、上記カラー陰極線管用の色選別電極機構の外周側面部に取り付けられた複数のマスクスプリングに設けられた嵌合孔を、それぞれ嵌合させることによって、上記パネル内に上記色選別電極機構を支持させた組立品について、上記色選別電極機構の支持状態を評価する方法において、
上記組立品に振動を与えた後に上記パネルピンに嵌合している上記マスクスプリングの嵌合位置を第１の検出位置として検出する手順と、
上記嵌合を外した後に上記パネルピンに再度嵌合させた上記マスクスプリングの嵌合位置を第２の検出位置として検出する手順と、
上記第１の検出位置と上記第２の検出位置を比較し、その比較結果をもとに上記色選別電極機構の支持状態を評価する手順と
を有する
ことを特徴とするものである。
【００１４】
【発明の実施の形態】
図１はテレビジョンやコンピュータ用ディスプレイ等に用いられるカラー陰極線管装置の一例の断面図である。図１のカラー陰極線管装置は、カラー陰極線管１と、点線で軌道の一例を示した電子ビームを偏向走査する偏向ヨーク９とを備えている。
【００１５】
カラー陰極線管１は、蛍光体スクリーン面２がパネル面３１の内面に形成されたパネル３と、パネル３の後方に接続されたファンネル４と、ファンネル４のネック部４１の内部に設置された電子銃５と、パネル３の内部に蛍光体スクリーン面２に対向して設けられた色選別電極機構６とを備えている。
【００１６】
色選別電極機構６は、パネル３の内側面部に設けられたパネルピン８に、色選別電極機構６の外周側面部に取り付けられたマスクスプリング７に設けられた嵌合孔を、マスクスプリング７の曲げ弾性力を利用してそれぞれ嵌合させることによって、パネル３内の所定の位置に支持される。この色選別電極機構６は、電子銃５から発せられる３本の電子ビームがそれぞれ赤色，緑色，青色の所望の蛍光体にランディングするよう選別する目的で設置されるものである。
【００１７】
一般に、色選別電極機構６は、選択的エッチングによって多数の電子ビーム通過孔を形成した金属薄板を、フレーム等によって支持した構造からなる。
【００１８】
このような色選別電極機構６の代表的な構造の１つとして、図２に示すように、多数の電子ビーム通過孔を有する金属薄板６１をプレス等によりドーム形状に整形したものを、略四角形状の支持枠６２で支持した構造のものがある。この図２に示す構造の色選別電極機構６を「シャドウマスク」と呼ぶ。
【００１９】
また、色選別電極機構６のもう１つの代表例として、図３に示すように、多数の電子ビーム通過孔を有する金属薄板６１を、比較的剛性の高い略四角形状の支持枠６２によって、金属薄板６１に張力を負荷した状態で支持した構造のものがある。この図３に示す構造の色選別電極機構６を「展張型シャドウマスク」と呼ぶ。
【００２０】
さらに、色選別電極機構６のもう１つの代表例として、図４に示すように、多数の細条素体が所定間隔で整列された構造の金属薄板６１を、比較的剛性の高い略四角形状の支持枠６２によって、金属薄板６１に張力を負荷した状態で支持した構造のものがある。この図４に示す構造の色選別電極機構６を「展張型アパーチャグリル」と呼ぶ。
【００２１】
また一般に、色選別電極機構６の支持方式にもいくつかの構造があり、これらは例えばマスクスプリング７の取り付け方向によって大別される。
【００２２】
このような色選別電極機構支持方式の代表的な構造の１つとして、図５に示すように、多数の電子ビーム通過孔を形成した金属薄板６１と略平行な方向にマスクスプリング７が、支持枠６２に例えば溶接等によって取り付けられた構造のものがある。この図５に示す支持方式を「横スプリング支持方式」と呼ぶ。
【００２３】
また、色選別電極機構支持方式のもう１つの代表例として、図６に示すように、多数の電子ビーム通過孔を形成した金属薄板６１と略垂直な方向にマスクスプリング７が、支持枠６２に例えば溶接等によって取り付けられた構造のものがある。この図５に示す支持方式を「縦スプリング支持方式」と呼ぶ。
【００２４】
一般に、横スプリング支持方式は、図５に示すように略四角形状の色選別電極機構の外周側面部の辺部にマスクスプリング７が設けられ、縦スプリング支持方式は、図６に示すように略四角形状の色選別電極機構の外周側面部のコーナー部にマスクスプリング７が設けられている。
【００２５】
図７はマスクスプリング７の嵌合孔７１とパネルピン８との嵌合状態を説明する模式図である。図７（１）はパネルピン８にマスクスプリング７の嵌合孔７１が完全な状態で嵌合している場合の図であり、矢印Ｆ方向に作用するマスクスプリング７の曲げ弾性力によって嵌合している。図７（２）はマスクスプリング７の嵌合孔７１が矢印Ｒ方向にずれているため、パネルピン８にマスクスプリング７の嵌合孔７１が不完全な状態で嵌合している場合の図である。
【００２６】
パネルピン８は傾斜部を有しているため、図７（２）のような不完全な嵌合状態の場合には、図７（１）のような完全な嵌合状態に比べて、嵌合孔７１の矢印Ｆ方向の位置、つまりマスクスプリング７の矢印Ｆ方向の位置がずれることになる。この性質を利用して、マスクスプリング７の嵌合孔７１とパネルピン８との嵌合状態の評価をすることができる。
【００２７】
図８は小型で重量の軽い色選別電極機構６をパネル３内に支持させた組立品においてマスクスプリングとパネルピンの嵌合を外したときの様子を説明する平面図である。この図８の例では、横スプリング支持方式の色選別電極機構６が４つのマスクスプリングａ，ｂ，ｃ，ｄによってパネル３内に支持されている。
【００２８】
図８において、パネル３の４つの内側面部の略中央部には、それぞれパネルピンＡ，Ｂ，Ｃ，Ｄ（それぞれ図１，図７のパネルピン８に相当するもの）が設けられており、これら４つのパネルピンＡ，Ｂ，Ｃ，Ｄにそれぞれ対応して、色選別電極機構６の４つの外周側面部にそれぞれマスクスプリングａ，ｂ，ｃ，ｄ（それぞれ図１，図５，図７のマスクスプリング７に相当するもの）が設けられている。なお、それぞれのマスクスプリングａ，ｂ，ｃ，ｄにおいて、パネルピンＡ，Ｂ，Ｃ，Ｄに対向する位置には、そのパネルピンに嵌合するための嵌合孔（図７の嵌合孔７１に相当するもの）が設けられている。
【００２９】
例えば、図８（１）に示すように、マスクスプリングｂ，ｃ，ｄの嵌合孔のそれぞれがパネルピンＢ，Ｃ，Ｄに図７（１）のように完全な状態で嵌合しており、マスクスプリングａの嵌合孔のみが、パネルピンＡに対して矢印Ｌの方向にずれて、図７（２）のように不完全な状態で嵌合している場合を考える。この場合、色選別電極機構６はパネル３内の正規の位置に安定した状態で支持されていない。
【００３０】
この図８（１）に示す状態において、マスクスプリングａと対向するマスクスプリングｄのパネルピンＤとの嵌合をはずすと、色選別電極機構６は小型で重重量の軽いものなので、図８（２）に示すように、マスクスプリングａの曲げ弾性力によって色選別電極機構６が矢印Ｒ方向に移動して、マスクスプリングａがパネルピンＡに完全な状態で嵌合する。このあと、マスクスプリングｄをパネルピンＤに再度嵌合させても、マスクスプリングｄの嵌合孔は矢印Ｒ方向にずれているため完全な状態では嵌合しない。
【００３１】
この図８のように色選別電極機構６が小型で重量の軽い場合には、本発明の実施の形態の評価方法の他に、上記従来の評価方法によっても、色選別電極機構６がパネル３内の正規の位置に安定した状態で支持されているか否かを評価できる。
【００３２】
しかしながら、近年のカラー陰極線管の大型化に伴って、色選別電極機構６も大型になり、色選別電極機構６の重量も重くなっている。特に、公称２５［インチ］以上の展張型シャドウマスクおよび展張型アパーチャグリルでは、その重量が極めて重くなっている。このような重量の重い色選別電極機構６の場合には、上記従来の評価方法では、色選別電極機構６がパネル３内の正規の位置に安定した状態で支持されているか否かを正確に評価できないことがある。
【００３３】
図９は大型で重量の重い色選別電極機構６をパネル３内に支持させた組立品においてマスクスプリングとパネルピンの嵌合を外したときの様子を説明する平面図である。なお、図９において図８と同様のものには同じ符号を付してある。
【００３４】
また、図１０は大型で重量の重い色選別電極機構６をパネル３内に支持させてパネル面３１を上に向けて配置した組立品においてマスクスプリングとパネルピンの嵌合を外したときの様子を説明する断面図である。なお、この図１０は図９（２）に示すＹ−Ｙ断面の側面図に相当し、図１０において図９と同様のものには同じ符号を付してある。
【００３５】
例えば、図９（１）に示すように、マスクスプリングｂ，ｃ，ｄの嵌合孔のそれぞれがパネルピンＢ，Ｃ，Ｄに図７（１）のように完全な状態で嵌合しており、マスクスプリングａの嵌合孔のみが、パネルピンＡに対して矢印Ｌの方向にずれて、図７（２）のように不完全な状態で嵌合している場合を考える。この場合、色選別電極機構６はパネル３内の正規の位置に安定した状態で支持されていない。
【００３６】
この図９（１）に示す状態において、マスクスプリングａと対向するマスクスプリングｄのパネルピンＤとの嵌合を外しても、色選別電極機構６は大型で重量の重いものなので、図９（２）に示すように、色選別電極機構６はマスクスプリングａの曲げ弾性力のみでは動かず、マスクスプリングａはパネルピンＡに完全な状態で嵌合しない。
【００３７】
このため、大型で重量の重い色選別電極機構６では、マスクスプリングｄのパネルピンＤとの嵌合を一度外して再度嵌合させても、上記従来の評価方法においての一次測定値および二次測定値に、色選別電極機構６の支持の善し悪しが正確に反映されず、上記従来の評価方法ではマスクスプリングａ，ｂ，ｃ，ｄの嵌合孔とパネルピンＡ，Ｂ，Ｃ，Ｄとの嵌合状態を正確に評価できないことがある。
【００３８】
さらに、図１０（１）に示すように、マスクスプリングａ，ｄを含む４つのマスクスプリングの嵌合孔がパネルピンＡ，Ｄを含む４つのパネルピンにそれぞれ嵌合した色選別電極機構６とパネル３の組立品をパネル面３１を上に向けて配置した状態において、マスクスプリングｄのパネルピンＤとの嵌合をはずすと、色選別電極機構６は大型で重量の重いものなので、図１０（２）に示すように、色選別電極機構６は、その自重によって重力方向（パネル面３１に垂直な方向）に傾きを生じる。このあと、マスクスプリングｄをパネルピンＤに再度嵌合させても、マスクスプリングｄの嵌合孔とパネルピンＤの嵌合はもとの状態には戻りきらない。
【００３９】
この色選別電極機構６の自重による影響は、４つのマスクスプリングのいずれの嵌合を外した場合にも生じる。この自重による影響は、色選別電極機構６が大型になるほどほど顕著になる。また、縦スプリング支持方式では、マスクスプリングと色選別電極機構６の重心との距離が横スプリング支持方式に比べて大きいので、上記自重による影響がさらに顕著になる。なお、パネル面３１を下に向けて配置した場合にも同様である。
【００４０】
このため、公称２５［インチ］以上の展張型シャドウマスクや展張型アパーチャグリル等の特に大型で重量の重い色選別電極機構６では、上記の自重による影響をキャンセルできる評価方法が必要になる。
【００４１】
以下に説明する本発明の実施の形態の嵌合状態評価手順は、パネル３と色選別電極機構６の組立品に振動を与えた後にパネルピン８に嵌合しているマスクスプリング７の嵌合位置と、この嵌合を外した後にパネルピン８に再度嵌合させたマスクスプリング７の嵌合位置と、この再度嵌合させた組立品に再度振動を与えた後のスクスプリング７の嵌合位置とをそれぞれ検出および比較し、その比較結果をもとに、マスクスプリング７の嵌合孔７１とパネルピン８の嵌合状態を判別し、色選別電極機構６の支持状態を評価することによって、色選別電極機構６が大型で重量の重いものであっても、色選別電極機構６がパネル３内に安定して正規の位置に支持されているか否かを確実に評価できるようにしたことを特徴とするものである。
【００４２】
本実施の形態の嵌合状態評価手順は、カラー陰極線管の製造工程においてのパネル３と色選別電極機構６の組立工程や蛍光体スクリーン面２の形成工程等で実施され、例えばこの嵌合状態評価に合格したパネル３と色選別電極機構６の組立品のみがその後の製造工程および検査工程を経て完成品となる。
【００４３】
図１１は本発明の実施の形態の色選別電極機構の支持状態評価手順の概略を説明する図であって、評価装置にセットされたパネル３と色選別電極機構６との組立品においてのマスクスプリング７の嵌合孔とパネルピン８との嵌合部の拡大図である。図１１において、図１または図７と同様のものには同じ符号を付してある。
【００４４】
図１１において、評価装置は、スプリング押さえ板１０を有するスプリング押さえ機構と、測定センサーヘッド１１を有する測定システムと、タッピングシリンダーヘッド１２を有するタッピング機構（加振装置）と、図示しない位置決め機構とを備えている。なお、この評価装置は、パネル３と色選別電極機構６の組立装置に組み込まれているものも含む。
【００４５】
スプリング押さえ機構は、スプリング押さえ板１０によってマスクスプリング７を押圧して、マスクスプリング７のパネルピン８との嵌合を外した後、上記の押圧を停止して、マスクスプリング７をパネルピン８に再度嵌合させる。図１１（１）に示すように、スプリング押さえ板１０がマスクスプリング７を押圧していない状態では、マスクスプリング７の曲げ弾性力によってパネルピン８にマスクスプリング７の嵌合孔が嵌合している。また、図１１（１）の状態から、図１１（２）に示すように、スプリング押さえ板１０を、マスクスプリング７の嵌合孔周辺部のパネル３に対向する側の面に当接させて矢印Ｒ方向に動かすことによって、マスクスプリング７の嵌合孔周辺部が矢印Ｒ方向に押圧されて移動し、パネルピン８との嵌合が外れる。さらに、図１１（３）に示すように、スプリング押さえ板１０を矢印Ｌ方向に戻すことによって、マスクスプリング７の嵌合孔がパネルピン８に再度嵌合する。
【００４６】
測定システムは、例えばダイヤルゲージ等の測定センサーヘッド１１をマスクスプリング７の嵌合孔近傍部の色選別電極機構６に対向する側の面に当接させ、この測定センサーヘッド１１によってマスクスプリング７のパネルピン８との嵌号位置を測定する。
【００４７】
タッピング機構は、タッピングシリンダーヘッド１２をパネル３の底面に当接させ、このタッピングシリンダーヘッド１２を振動させることによって、パネル３と色選別電極機構６の組立品にパネル面３１とほぼ垂直な方向の振動をパネル３の底面から与える。
【００４８】
図１２は本発明の実施の形態の色選別電極機構の支持状態評価手順を示すフローチャートである。
【００４９】
図１２のステップＳ１では、図示しない位置決め機構によって、色選別電極機構６が組み込まれたパネル３（パネル３と色選別電極機構６の組立品）を評価装置に位置決めする。
【００５０】
ステップＳ２では、測定システムによって、測定センサーヘッド１１を図１１（１）に示すようにマスクスプリング７の嵌合孔近傍の面に当接させるとともに、スプリング押さえ機構によって、スプリング押さえ板１０を図１１（１）に示す待機位置に待機させる。
【００５１】
ステップＳ３では、タッピング機構によって、タッピングシリンダヘッド１２を図１１（１）に示す待機位置からパネル３の底面に当接させ、タッピングシリンダヘッド１２を振動させてパネル３と色選別電極機構６の組立品に振動を与えた後、タッピングシリンダヘッド１２を上記の待機位置に戻す。
【００５２】
この後のステップＳ４では、測定システムによって、マスクスプリング７の振動を与えた後の位置を測定センサー１１を用いて測定し、上記組立品に振動を与えた後にパネルピン８に嵌合しているマスクスプリング７の嵌合位置を測定値＃１として得る。
【００５３】
ステップＳ５では、あらかじめ設定された個所のパネルピン８に嵌合しているマスクスプリング７について、図１１（２）に示すように、スプリング押さえ機構によって、スプリング押さえ板１０を矢印Ｒ方向に動かし、マスクスプリング７の嵌合孔周辺の面に当接させてマスクスプリング７を矢印Ｒ方向に押圧し、マスクスプリング７のパネルピン８との嵌合を外す。
【００５４】
さらに、ステップＳ６では、図１１（３）に示すように、スプリング押さえ機構によって、スプリング押さえ板１０を矢印Ｌ方向に戻してマスクスプリング７の押圧を停止し、マスクスプリング７を矢印Ｌ方向に戻してパネルピン８に再度嵌合させる。
【００５５】
このように、ステップＳ５およびＳ６では、図１１（２），（３）に示すように、あらかじめ設定された個所のマスクスプリング７とパネルピン８の嵌合を一度外した後、再度嵌合させる。
【００５６】
この後のステップＳ７では、測定システムによって、マスクスプリング７の再度嵌合した状態での位置を測定センサー１１を用いて測定し、パネルピン８との嵌合を外した後にパネルピン８に再度嵌合させたマスクスプリング７の嵌合位置を測定値＃２として得る。
【００５７】
ステップＳ８では、上記ステップＳ３と同様に、タッピング機構によって、タッピングシリンダヘッド１２を図１１（３）に示す待機位置からパネル３の底面に再度当接させ、タッピングシリンダヘッド１２を振動させてパネル３と色選別電極機構６の組立品にパネル３の底面から再度振動を与えた後、タッピングシリンダヘッド１２を上記の待機位置に戻す。
【００５８】
この後のステップＳ９では、測定システムによって、マスクスプリング７の再度嵌合した状態で再度振動を与えた後の位置を測定センサー１１を用いて測定し、パネルピン８との嵌合を外した後にパネルピン８に再度嵌合させ、さらに上記組立品に再度振動を与えた後のマスクスプリング７の嵌合位置を測定値＃３として得る。
【００５９】
そして、ステップＳ１０では、測定値＃１と測定値＃２の差分および測定値＃１と＃３の差分をそれぞれ求め、それぞれの差分をあらかじめ設定された規格値と比較し、それぞれの差分が上記規格値（例えば最大±５０［μｍ］）の範囲内であるか否かを判別する。
【００６０】
このような図１２に示す一連の手順を、１つの上記組立品においてあらかじめ設定されたマスクスプリング７とパネルピン８の複数の嵌合部について順次実施し、それぞれの嵌合部について得られた測定値＃１と測定値＃２の差分および測定値＃１と＃３の差分をもとに、その組立品においてのマスクスプリング７の嵌合孔とパネルピン８との嵌合状態を判別し、その組立品において色選別電極機構６がパネル３内に安定して正規の位置に支持されているか否かを評価する。
【００６１】
上記の測定値＃１，＃２，＃３の意味およびこれらの測定値を比較することの意味について以下に説明する。
【００６２】
全てのマスクスプリング７がパネルピン８に嵌合した色選別電極機構６は、マスクスプリング７の曲げ弾性力のみでは動かない。また、大型で重量の大きい色選別電極機構６は、図９において説明したように、マスクスプリング７のパネルピン８との嵌合を外したとしても、マスクスプリング７の曲げ弾性力のみでは動かない。
【００６３】
そこでまず、パネル３と色選別電極機構６の組立品に振動を与える。この振動とマスクスプリング７の曲げ弾性力とによって、色選別電極機構６は、大型で重量の大きいものであっても、全てのマスクスプリング７の曲げ弾性力がバランスするように動き、このバランスした状態でパネル３内に位置することとなる。このとき、色選別電極機構６が安定した状態でパネル３内の正規の位置に支持されていない嵌合状態の悪い組立品では、それぞれのマスクスプリング７は少なからず歪んだ状態になっている。この状態を測定したものが上記の測定値＃１であり、この測定値＃１は、嵌合の基準状態の測定値と考えることができる。
【００６４】
次に、任意の１つのマスクスプリング７のパネルピン８との嵌合を外した後に再度嵌合させる。このとき、マスクスプリング７の嵌合状態は、主にそれぞれのマスクスプリング７が有する歪みの影響によって、上記基準状態には戻りきらない。この状態を測定したものが上記の測定値＃２であり、この測定値＃２は、主にそれぞれのマスクスプリング７が有する歪みに応じた嵌合状態の測定値と考えることができる。測定値＃１と測定値＃２の差が大きければ、それぞれのマスクスプリング７が有する歪みも大きく、色選別電極機構６の支持状態が安定していないと考えることができる。
【００６５】
ただし、この測定値＃２には図１０において説明した自重による影響も含まれるため、非常に大型で重量の大きい色選別電極機構６については、測定値＃２から上記自重による影響を除く必要がある。この自重による影響は、簡単な実験で求めることができる。例えば、色選別電極機構６に自重をキャンセルするような簡単な支持機構を設けて同様に測定し、この自重キャンセル支持機構の有無による測定値の差を求めれば、自重による影響を測定値＃２から除くことができる。
【００６６】
次に、上記任意の１つのマスクスプリング７をパネルピン８に再度嵌合させた組立品に再度振動を与える。これによって、色選別電極機構６は、再び全てのマスクスプリング７の曲げ弾性力がバランスするように動き、このバランスした状態でパネル３内に位置することとなる。この状態を測定したものが上記の測定値＃３である。測定値＃１と測定値＃３が異なり、同じ状態に戻らない場合は、全てのマスクスプリング７の曲げ弾性力がバランスするパネル３内での色選別電極機構６の位置が、少なくとも２通り以上存在することになり、明らかに色選別電極機構６の支持状態が安定していないと考えることができる。
【００６７】
以上のように本発明の実施の形態によれば、パネル３と色選別電極機構６の組立品に振動を与えた後にパネルピン８に嵌合しているマスクスプリング７の嵌合位置を測定した測定値＃１と、この嵌合を外した後にパネルピン８に再度嵌合させたマスクスプリング７の嵌合位置を測定した測定値＃２と、この再度嵌合させた組立品に再度振動を与えた後のスクスプリング７の嵌合位置を測定した測定値＃３とを比較し、その比較結果をもとに、マスクスプリング７の嵌合孔７１とパネルピン８の嵌合状態を判別し、色選別電極機構６の支持状態を評価することによって、色選別電極機構６が大型の重量の大きいものであっても、色選別電極機構６がパネル３内に安定して正規の位置に支持されているか否かを確実に評価することができる。
【００６８】
なお、上記実施の形態の説明では、パネル３に振動を与えたが、色選別電極機構６に振動を与えても同様の効果が得られる。さらに、シャドウマスク、展張型シャドウマスク、展張型アパーチャグリル等で代表される色選別電極機構６の構造によらず、かつマスクスプリング７の取り付け方向で大別される色選別電極機構６の支持方式にもよらず、同様の効果が得られる。また、色選別電極機６の支持状態を自動で評価することも容易に可能である。
【００６９】
【発明の効果】
以上説明したように本発明によれば、色選別電極機構が大型の重量の大きいものであっても、色選別電極機構がパネル内に安定して正規の位置に支持されているか否かを確実に評価することができるという効果がある。
【図面の簡単な説明】
【図１】製造工程において本発明の実施の形態が適用されるカラー陰極線管装置の一例を断面図である。
【図２】製造工程において本発明の実施の形態が適用される色選別電極機構の一例の斜視図である。
【図３】製造工程において本発明の実施の形態が適用される色選別電極機構の一例の斜視図である。
【図４】製造工程において本発明の実施の形態が適用される色選別電極機構の一例の斜視図である。
【図５】製造工程において本発明の実施の形態が適用される色選別電極機構支持方式の一例の斜視図である。
【図６】製造工程において本発明の実施の形態が適用される色選別電極機構支持方式の一例の斜視図である。
【図７】マスクスプリングの嵌合孔とパネルピンとの嵌合状態を説明する模式図である。
【図８】小型で重量の軽い色選別電極機構をパネル内に支持させた組立品においてマスクスプリングとパネルピンの嵌合を外したときの様子を説明する平面図である。
【図９】大型で重量の重い色選別電極機構をパネル内に支持させた組立品においてマスクスプリングとパネルピンの嵌合を外したときの様子を説明する平面図である。
【図１０】大型で重量の重い色選別電極機構をパネル内に支持させてパネル面を上に向けて配置した組立品においてマスクスプリングとパネルピンの嵌合を外したときの様子を説明する断面図である。
【図１１】本発明の実施の形態の色選別電極機構の支持状態評価手順の概略を説明する図である。
【図１２】本発明の実施の形態の色選別電極機構の支持状態評価手順を示すフローチャートである。
【符号の説明】
１  カラー陰極線管、  ２  蛍光体スクリーン面、  ３  パネル、  ３１  パネル面、  ４  ファンネル、  ４１  ネック部、  ５  電子銃、  ６  色選別電極機構、  ６１  金属薄板、  ６２  支持枠、  ７  マスクスプリング、  ７１嵌合孔、  ８  パネルピン、  ９  偏向ヨーク、  １０  スプリング押さえ板、  １１  測定センサーヘッド、  １２  タッピングシリンダーヘッド。
【図１】
2004288427.tif 000003
【図２】
2004288427.tif 000004
【図３】
2004288427.tif 000005
【図４】
2004288427.tif 000006
【図５】
2004288427.tif 000007
【図６】
2004288427.tif 000008
【図７】
2004288427.tif 000009
【図８】
2004288427.tif 000010
【図９】
2004288427.tif 000011
【図１０】
2004288427.tif 000012
【図１１】
2004288427.tif 000013
【図１２】
2004288427.tif 000014